【手続補正書】
【提出日】平成21年11月18日(2009.11.18)
【手続補正１】
【補正対象書類名】明細書
【補正対象項目名】特許請求の範囲
【補正方法】変更
【補正の内容】
【特許請求の範囲】
【請求項１】
マルチキャリア変調トランシーバにおいて、マルチキャリア変調を用いた通信チャネルを介して診断情報を通信する方法であって、
マルチキャリア変調トランシーバにおいて、初期診断モードメッセージを送信または受信し、
マルチキャリア変調トランシーバから、マルチキャリア変調を用いて診断メッセージを送信することを備え、
前記診断メッセージは、通信チャネルに関する診断情報を表す複数のデータ変数を備え、前記診断メッセージの各ビットはＤＭＴシンボルの少なくとも一つにマップされ、
一つの変数は、周波数ドメイン受信アイドルチャネルのノイズ情報を表すアレイを備える方法。
【請求項２】
請求項１の方法において、前記初期診断モードメッセージは、初期化失敗、ビットレート失敗、初期化メッセージ中のＣＲＣエラー、通常の定常状態送信モード中のＣＲＣエラー、前方誤り訂正のエラー、ユーザリクエスト、中央局技術者リクエストの少なくともいずれか一つに基づく方法。
【請求項３】
請求項１または２の方法において、前記診断メッセージは、診断情報の長さ、タイムドメイン受信リバーブ信号、周波数ドメインリバーブ信号、増幅器設定、中央局送信電力スペクトル密度、周波数ドメイン受信アイドルチャネル、信号対ノイズ比、ビットおよびゲイン情報、アップストリームおよび／またはダウンストリーム送信レートの少なくとも一つを含む通信チャネルに関する診断情報を備えた方法。
【請求項４】
請求項１〜３のいずれかの方法において、前記トランシーバは中央局モデムまたは遠隔端末モデムである方法。
【請求項５】
マルチキャリア変調を用いた通信チャネルを介して診断情報を通信できる診断システムであって、
初期診断モードメッセージを送信または受信できるトランシーバと、
診断メッセージを決定し、前記トランシーバと協働して前記トランシーバから送信することのできるメッセージ決定モジュールとを備え、
前記診断メッセージは、通信チャネルに関する診断情報を表す複数のデータ変数を備え、前記診断メッセージの各ビットはＤＭＴシンボルの少なくとも一つにマップされ、
一つの変数は、周波数ドメイン受信アイドルチャネルのノイズ情報を表すアレイを備えるシステム。
【請求項６】
請求項５のシステムにおいて、前記初期診断モードメッセージは、初期化失敗、ビットレート失敗、初期化メッセージ中のＣＲＣエラー、通常の定常状態送信モード中のＣＲＣエラー、前方誤り訂正のエラー、ユーザリクエスト、中央局技術者リクエストの少なくともいずれか一つに基づくシステム。
【請求項７】
請求項５または６のシステムにおいて、前記診断メッセージは、診断情報の長さ、タイムドメイン受信リバーブ信号、周波数ドメインリバーブ信号、増幅器設定、中央局送信電力スペクトル密度、周波数ドメイン受信アイドルチャネル、信号対ノイズ比、ビットおよびゲイン情報、アップストリームおよび／またはダウンストリーム送信レートの少なくとも一つを含む通信チャネルに関する診断情報を備えたシステム。
【請求項８】
請求項５〜７のいずれかのシステムにおいて、前記トランシーバは中央局モデムまたは遠隔端末モデムであるシステム。
【請求項９】
マルチキャリア変調を用いた通信チャネルを介して診断情報を通信できるマルチキャリア通信トランシーバであって、
マルチキャリア通信トランシーバにおいて、初期診断モードメッセージを送信または受信する手段と、
マルチキャリア通信トランシーバから、マルチキャリア変調を用いて診断メッセージを送信する手段とを備え、
前記診断メッセージは、通信チャネルに関する診断情報を表す複数のデータ変数を備え、前記診断メッセージの各ビットはＤＭＴシンボルの少なくとも一つにマップされ、
一つの変数は、周波数ドメイン受信アイドルチャネルのノイズ情報を表すアレイを備えるトランシーバ。
【請求項１０】
請求項９のシステムにおいて、前記初期診断モードメッセージは、初期化失敗、ビットレート失敗、初期化メッセージ中のＣＲＣエラー、通常の定常状態送信モード中のＣＲＣエラー、前方誤り訂正のエラー、ユーザリクエスト、中央局技術者リクエストの少なくともいずれか一つに基づくシステム。
【請求項１１】
請求項９または１０のシステムにおいて、前記診断メッセージは、診断情報の長さ、タイムドメイン受信リバーブ信号、周波数ドメインリバーブ信号、増幅器設定、中央局送信電力スペクトル密度、周波数ドメイン受信アイドルチャネル、信号対ノイズ比、ビットおよびゲイン情報、アップストリームおよび／またはダウンストリーム送信レートの少なくとも一つを含む通信チャネルに関する診断情報を備えたシステム。
【請求項１２】
請求項９〜１１のいずれかのシステムにおいて、前記トランシーバは中央局モデムまたは遠隔端末モデムであるシステム。
【請求項１３】
マルチキャリア変調を用いた通信チャネルを介して診断情報の通信を実行するための指令を備えた情報記録媒体であって、
実行されると、トランシーバに、初期診断モードメッセージを送信または受信するよう指示する指令と、
実行されると、前記トランシーバから、マルチキャリア変調を用いて診断メッセージを送信する指令とを備え、
前記診断メッセージは、通信チャネルに関する診断情報を表す複数のデータ変数を備え、前記診断メッセージの各ビットはＤＭＴシンボルの少なくとも一つにマップされ、
一つの変数は、周波数ドメイン受信アイドルチャネルのノイズ情報を表すアレイを備える情報記録媒体。
【請求項１４】
請求項１３の情報記録媒体において、前記初期診断モードメッセージは、初期化失敗、ビットレート失敗、初期化メッセージ中のＣＲＣエラー、通常の定常状態送信モード中のＣＲＣエラー、前方誤り訂正のエラー、ユーザリクエスト、中央局技術者リクエストの少なくともいずれか一つに基づく情報記録媒体。
【請求項１５】
請求項１３または１４の情報記録媒体において、前記診断メッセージは、診断情報の長さ、タイムドメイン受信リバーブ信号、周波数ドメインリバーブ信号、増幅器設定、中央局送信電力スペクトル密度、周波数ドメイン受信アイドルチャネル、信号対ノイズ比、ビットおよびゲイン情報、アップストリームおよび／またはダウンストリーム送信レートの少なくとも一つを含む通信チャネルに関する診断情報を備えた情報記録媒体。
【請求項１６】
マルチキャリア変調トランシーバにおいて、マルチキャリア変調を用いた通信チャネルを介して診断情報を通信する方法であって、
マルチキャリア変調トランシーバにおいて、初期診断モードメッセージを送信または受信し、
マルチキャリア変調トランシーバから、マルチキャリア変調を用いて、診断メッセージの１ビットにマップされたＤＭＴシンボルで、診断メッセージを送信することを備え、
前記診断メッセージは、通信チャネルに関する診断情報を表す複数のデータ変数を備え、
一つの変数は、周波数ドメイン受信アイドルチャネルのノイズ情報を表すアレイを備える方法。
【請求項１７】
請求項１６の方法において、前記初期診断モードメッセージは、初期化失敗、ビットレート失敗、初期化メッセージ中のＣＲＣエラー、通常の定常状態送信モード中のＣＲＣエラー、前方誤り訂正のエラー、ユーザリクエスト、中央局技術者リクエストの少なくともいずれか一つに基づく方法。
【請求項１８】
請求項１６または１７の方法において、前記診断メッセージは、診断情報の長さ、タイムドメイン受信リバーブ信号、周波数ドメインリバーブ信号、増幅器設定、中央局送信電力スペクトル密度、周波数ドメイン受信アイドルチャネル、信号対ノイズ比、ビットおよびゲイン情報、アップストリームおよび／またはダウンストリーム送信レートの少なくとも一つを含む通信チャネルに関する診断情報を備えた方法。
【請求項１９】
請求項１６〜１８のいずれかの方法において、前記トランシーバは中央局モデムまたは遠隔端末モデムである方法。
【請求項２０】
マルチキャリア変調を用いた通信チャネルを介して診断情報を通信できる診断システムであって、
初期診断モードメッセージを送信または受信できるトランシーバと、
診断メッセージを決定し、前記トランシーバと協働して前記トランシーバから、マルチキャリア変調を用いて、診断メッセージの１ビットにマップされたＤＭＴシンボルで、当該診断メッセージを送信することのできるメッセージ決定モジュールとを備え、
前記診断メッセージは、通信チャネルに関する診断情報を表す複数のデータ変数を備え、
一つの変数は、周波数ドメイン受信アイドルチャネルのノイズ情報を表すアレイを備えるシステム。
【請求項２１】
請求項２０の方法において、前記初期診断モードメッセージは、初期化失敗、ビットレート失敗、初期化メッセージ中のＣＲＣエラー、通常の定常状態送信モード中のＣＲＣエラー、前方誤り訂正のエラー、ユーザリクエスト、中央局技術者リクエストの少なくともいずれか一つに基づく方法。
【請求項２２】
請求項２０または２１の方法において、前記診断メッセージは、診断情報の長さ、タイムドメイン受信リバーブ信号、周波数ドメインリバーブ信号、増幅器設定、中央局送信電力スペクトル密度、周波数ドメイン受信アイドルチャネル、信号対ノイズ比、ビットおよびゲイン情報、アップストリームおよび／またはダウンストリーム送信レートの少なくとも一つを含む通信チャネルに関する診断情報を備えた方法。
【請求項２３】
請求項２０〜２２のいずれかの方法において、前記トランシーバは中央局モデムまたは遠隔端末モデムである方法。
【請求項２４】
マルチキャリア変調を用いた通信チャネルを介して診断情報を通信できるマルチキャリア通信トランシーバであって、
マルチキャリア通信トランシーバにおいて、初期診断モードメッセージを送信または受信する手段と、
マルチキャリア通信トランシーバから、マルチキャリア変調を用いて、診断メッセージの１ビットにマップされたＤＭＴシンボルで、診断メッセージを送信する手段とを備え、
前記診断メッセージは、通信チャネルに関する診断情報を表す複数のデータ変数を備え、
一つの変数は、周波数ドメイン受信アイドルチャネルのノイズ情報を表すアレイを備えるトランシーバ。
【請求項２５】
請求項２４のトランシーバにおいて、前記初期診断モードメッセージは、初期化失敗、ビットレート失敗、初期化メッセージ中のＣＲＣエラー、通常の定常状態送信モード中のＣＲＣエラー、前方誤り訂正のエラー、ユーザリクエスト、中央局技術者リクエストの少なくともいずれか一つに基づくトランシーバ。
【請求項２６】
請求項２４または２５のトランシーバにおいて、前記診断メッセージは、診断情報の長さ、タイムドメイン受信リバーブ信号、周波数ドメインリバーブ信号、増幅器設定、中央局送信電力スペクトル密度、周波数ドメイン受信アイドルチャネル、信号対ノイズ比、ビットおよびゲイン情報、アップストリームおよび／またはダウンストリーム送信レートの少なくとも一つを含む通信チャネルに関する診断情報を備えたトランシーバ。
【請求項２７】
請求項２４〜２６のいずれかのトランシーバにおいて、前記トランシーバは中央局モデムまたは遠隔端末モデムであるトランシーバ。
【請求項２８】
マルチキャリア変調を用いた通信チャネルを介して診断情報の通信を実行するための指令を備えた情報記録媒体であって、
実行されると、トランシーバに、初期診断モードメッセージを送信または受信するよう指示する指令と、
実行されると、前記トランシーバから、マルチキャリア変調を用いて、診断メッセージの１ビットにマップされたＤＭＴシンボルで、診断メッセージを送信する指令とを備え、
前記診断メッセージは、通信チャネルに関する診断情報を表す複数のデータ変数を備え、
一つの変数は、周波数ドメイン受信アイドルチャネルのノイズ情報を表すアレイを備える情報記録媒体。
【請求項２９】
請求項２８の情報記録媒体において、前記初期診断モードメッセージは、初期化失敗、ビットレート失敗、初期化メッセージ中のＣＲＣエラー、通常の定常状態送信モード中のＣＲＣエラー、前方誤り訂正のエラー、ユーザリクエスト、中央局技術者リクエストの少なくともいずれか一つに基づく情報記録媒体。
【請求項３０】
請求項２８または２９の情報記録媒体において、前記診断メッセージは、診断情報の長さ、タイムドメイン受信リバーブ信号、周波数ドメインリバーブ信号、増幅器設定、中央局送信電力スペクトル密度、周波数ドメイン受信アイドルチャネル、信号対ノイズ比、ビットおよびゲイン情報、アップストリームおよび／またはダウンストリーム送信レートの少なくとも一つを含む通信チャネルに関する診断情報を備えた情報記録媒体。
【請求項３１】
マルチキャリア変調トランシーバにおいて、マルチキャリア変調を用いた通信チャネルを介して、複数のデータ変数を含む診断情報を通信する方法であって、
前記トランシーバの診断メッセージにおいて、初期化診断モードメッセージに基づいて、診断メッセージの各ビットに、少なくとも一つのＤＭＴシンボルを関連づけることを備え、
一つの変数は、周波数ドメイン受信アイドルチャネルのノイズ情報を表すアレイを備える方法。
【請求項３２】
マルチキャリア変調トランシーバにおいて、マルチキャリア変調を用いた通信チャネルを介して診断情報を通信する方法であって、
診断モードにおいて、マルチキャリア変調を用いて診断メッセージを送信することを備え、
前記診断メッセージは、通信チャネルに関する診断情報を表す複数のデータ変数を備え、前記診断メッセージの少なくとも一つのビットはＤＭＴシンボルの少なくとも一つにマップされ、
一つの変数は、周波数ドメイン受信アイドルチャネルのノイズ情報を表すアレイを備える方法。
【請求項３３】
マルチキャリア変調を用いた通信チャネルを介した診断情報通信であって、
トランシーバから、診断情報を表す複数のデータ変数を備えた診断メッセージを通信することを備え、
前記診断メッセージの各ビットはＤＭＴシンボルの少なくとも一つにマップされ、
一つの変数は、周波数ドメイン受信アイドルチャネルのノイズ情報を表すアレイを備える診断情報通信。
【請求項３４】
マルチキャリア通信トランシーバにおいて、マルチキャリア変調を用いた通信チャネルを介して診断情報を通信するため、コンピュータに以下のステップを実行させるためのプログラムを記録した記録媒体であって、
トランシーバに、初期診断モードメッセージを送信または受信させ、
前記トランシーバから、マルチキャリア変調を用いて診断メッセージを送信させ、
前記診断メッセージは、通信チャネルに関する診断情報を表す複数のデータ変数を備え、前記診断メッセージの各ビットはＤＭＴシンボルの少なくとも一つにマップされ、
一つの変数は、周波数ドメイン受信アイドルチャネルのノイズ情報を表すアレイを備えるプログラムを記録した記録媒体。
【請求項３５】
マルチキャリア通信トランシーバにおいて、マルチキャリア変調を用いた通信チャネルを介して診断情報を通信するため、コンピュータに以下のステップを実行させるためのプログラムを記録した記録媒体であって、
マルチキャリア通信トランシーバに、初期診断モードメッセージを送信または受信させ、
前記トランシーバから、マルチキャリア変調を用いて、診断メッセージの１ビットにマップされたＤＭＴシンボルで、診断メッセージを送信させ、
前記診断メッセージは、通信チャネルに関する診断情報を表す複数のデータ変数を備え、
一つの変数は、周波数ドメイン受信アイドルチャネルのノイズ情報を表すアレイを備えるプログラムを記録した記録媒体。